(57)【特許請求の範囲】
【請求項１】
ランプハウジングの放電灯バルブ脱着口にバルブキャップを着脱自在に装着した構造において、バルブキャップをランプハウジングの放電灯バルブ脱着口に同心上に回転して固定するように構成すると共に、バルブキャップの後端面にバルブキャップの固定位置で上側部となる部分に段部を水平に形成し、該段部にランプユニット側コネクタ又は電源側コネクタの何れか一方のコネクタを固設して、該コネクタに前記他方のコネクタをその端部がバルブキャップ外周よりも側方へ突出するように接続する一方、放電灯バルブ脱着口の上側部に、前記バルブキャップ外周から側方へ突出した他方のコネクタの端部に係合して、バルブキャップの離脱方向の回転を阻止するリブ壁を設けてキャップ取外し規制手段を構成し、バルブキャップの取外し時に、該バルブキャップの取外しに先立ってランプユニット側コネクタと電源側コネクタとの離脱を促すようにし、かつ、前記リブ壁は両コネクタよりも後方に突出してコネクタ接続部の上方を覆ったことを特徴とする放電灯ヘッドランプ。
【発明の詳細な説明】
【０００１】
【発明の属する技術分野】
本発明は自動車等の車両に搭載される放電灯ヘッドランプに関する。
【０００２】
【発明が解決しようとする課題】
放電灯ヘッドランプのランプハウジング内に装着した放電灯バルブ後端部の電気回路部分には高電圧が印加されているため、本発明は構造を複雑化することなく放電灯バルブの交換あるいは保守点検作業に際しては電気的な不安を一切なくして安全に作業を行えるようにした放電灯バルブを提供するものである。
【０００３】
【課題を解決するための手段】
請求項１にあっては、ランプハウジングの放電灯バルブ脱着口にバルブキャップを着脱自在に装着した構造において、バルブキャップをランプハウジングの放電灯バルブ脱着口に同心上に回転して固定するように構成すると共に、バルブキャップの後端面にバルブキャップの固定位置で上側部となる部分に段部を水平に形成し、該段部にランプユニット側コネクタ又は電源側コネクタの何れか一方のコネクタを固設して、該コネクタに前記他方のコネクタをその端部がバルブキャップ外周よりも側方へ突出するように接続する一方、放電灯バルブ脱着口の上側部に、前記バルブキャップ外周から側方へ突出した他方のコネクタの端部に係合して、バルブキャップの離脱方向の回転を阻止するリブ壁を設けてキャップ取外し規制手段を構成し、バルブキャップの取外し時に、該バルブキャップの取外しに先立ってランプユニット側コネクタと電源側コネクタとの離脱を促すようにし、かつ、前記リブ壁は両コネクタよりも後方に突出してコネクタ接続部の上方を覆ったことを特徴としている。
【０００８】
【発明の効果】
請求項１によれば、キャップ取外し規制手段によってバルブキャップの取外しに先立ってランプユニット側コネクタと電源側コネクタとの離脱が促されるため、これら両コネクタの接続を外してからバルブキャップを取外して、ランプハウジング内の放電灯バルブの交換又は保守点検作業を安全に行うことができる。
【０００９】
特に、ランプユニット側コネクタおよび電源側コネクタの配置とリブ壁の付設とによってバルブキャップの回転規制を行ってキャップ取外し規制手段を構成しているため、この回転規制によって電源側コネクタをランプユニット側コネクタから外さないとバルブキャップを離脱方向に回転できないため、電源側コネクタの離脱作業を確実に優先させて安全性を一段と高めることができる。
【００１０】
また、キャップ取外し規制手段をこのようにバルブキャップの回転規制で構成しているため、複雑な電気回路構成を探ることなく構造を簡単にしてコスト的に有利に得ることができる。
【００１５】
【発明の実施の形態】
以下、本発明の実施形態を図面と共に詳述する。
【００１６】
図１，２において、１は後端部に放電灯バルブ脱着口２を形成した樹脂製のランプハウジングで、内部にリフレクタ３とバルブ取付ブラケット４とを配設してある。
【００１７】
バルブ取付ブラケット４はリフレクタ３に設けたボス部５にビス６によって締結固定してある。
【００１８】
放電灯バルブ７は後端に固定コネクタ８を設けてあり、前記リフレクタ３の内側に挿入して該固定コネクタ８をバルブ取付ブラケット４に着脱自在に取付けてある。
【００１９】
具体的には固定コネクタ８のフランジ部８ａをバルブ取付ブラケット４面に当接し、略リング状の圧締スプリング９を固定コネクタ８の胴部に装着して、該圧締スプリング９の下縁係止部９ａをバルブ取付ブラケット４の下縁フック部４ａに係止すると共に、圧締スプリング９の一対の上端摘み部９ｂをバルブ取付ブラケット４の上縁フック部４ｂに弾性係着して取付けてある。
【００２０】
固定コネクタ８には、ランプハウジング１の底部外側に固設したコントローラ１０からランプハウジング１内に引出されたハーネス１１端のバルブコネクタ１２を着脱自在に嵌合接続してある。
【００２１】
ランプハウジング１の放電灯バルブ脱着口２にはバルブキャップ１５を着脱自在に装着してある。
【００２２】
放電灯バルブ脱着口２には環状のシール部材１４を定置する内周フランジ１３を形成してあり、この内周フランジ１３とバルブキャップ１５の内側端面とでシール部材１４を圧締してシールするようにしてある。
【００２３】
この実施形態では内周フランジ１３に複数個のスリット１３ａを設け、バルブキャップ１５の内側端面の短筒部１６外周に突設した複数個の係止突起１６ａをこれらスリット１３ａにくぐり抜けさせて、該バルブキャップ１５を図外のクリック部にクリック係止する位置まで一方向、例えば図２の時計回り方向に回転することによって、バルブキャップ１５を固定するようにしてある。
【００２４】
また、ランプハウジング１には放電灯バルブ脱着口２の近傍位置に、コントローラ１０に接続したコントローラ側ハーネス１７端のランプユニット側コネクタ１８を、その接続側端面を後方に向けて固設してあり、該ランプユニット側コネクタ１８に電源側ハーネス１９端の電源側コネクタ２０を嵌合接続して、コントローラ１０に図外のバッテリーの電圧を印加するようにしてある。
【００２５】
一方、前記バルブキャップ１５の外周にはランプユニット側コネクタ１８の接続側端面にまで延びるフランジ部２１を形成すると共に、該フランジ部２１にバルブキャップ１５の前記固定位置で電源側コネクタ２０を挿通してランプユニット側コネクタ１８への接続を許容する切欠部２２を設けてバルブキャップ１５の回転規制部２３を構成し、該回転規制部２３をもって、バルブキャップ１５の取外しに先立って電源側コネクタ２０の取外しを促がすキャップ取外し規制手段２４としてある。
【００２６】
図１中、２５はランプハウジング１を取付けるラジエータコアサポートパネルを示す。
【００２７】
以上の実施形態の構造によれば、放電灯バルブ部７の交換あるいは該放電灯バルブ７の保守点検に際して、バルブキャップ１５を固定位置から離脱位置方向へ回転しようとしても、フランジ部２１の切欠部２２が電源側コネクタ２０に係合して回転することができず、作業者にこのバルブキャップ１５の取外しに先立ってランプユニット側コネクタ１８から電源側コネクタ２０の離脱を促がすことができる。
【００２８】
従って、作業者は先づ電源側コネクタ２０をランプユニット側コネクタ１８から引き抜いて、コントローラ１０および放電灯バルブ７への給電を断った後、バルブキャップ１５を放電灯バルブ脱着口２から取外して放電灯バルブ７の交換又は保守点検作業を安全に行うことができる。
【００２９】
また、この実施形態ではキャップ取外し規制手段２４として、バルブキャップ１５の回転規制部２３で構成し、しかも、ランプユニット側コネクタ１８と電源側コネクタ２０とをランプハウジング１の放電灯バルブ脱着口２の近傍に配置することと、バルブキャップ１５に切欠部２２を有するフランジ部２１を付設することによって、該回転規制部２３を構成しているため、部品点数の増加や大幅な構造変更を伴うことがなく、従って、構造を簡単にできてコスト的に有利に得ることができる。
【００３０】
なお、この実施形態ではフランジ部２１をバルブキャップ１５の全周に設けているが、電源側コネクタ２０に対応する周辺部に部分的に形成するようにしてもよい。
【００３１】
図３，４は前述の回転規制部２３の異なる実施形態を示すもので、バルブキャップ１５は前記実施形態と同様に図４の時計回り方向に回転してクリック係止させることによって、該バルブキャップ１５を放電灯バルブ脱着口２に固定するようにしてある。
【００３２】
このバルブキャップ１５はその固定位置で上側部となる部分に段部２６を水平に形成してあって、該段部２６上に例えばランプユニット側コネクタ１８を固設してある。
【００３３】
このランプユニット側コネクタ１８は、電源側コネクタ２０を嵌合接続するとその後端がバルブキャップ１５の外周よりも側方へ突出するような位置に固設してある。
【００３４】
他方、ランプハウジング１の放電灯バルブ脱着口２の口縁には、前記バルブキャップ１５の外周から側方へ突出した電源側コネクタ２０の後端部に係合して、バルブキャップ１５の離脱方向の回転を阻止するリブ壁２７を突設してある。
【００３５】
従って、この実施形態の場合もバルブキャップ１５を固定位置から離脱方向へ回転しようとしても電源側コネクタ２０の後端部がリブ壁２７に係合してバルブキャップ１５の前記方向への回転が規制され、電源側コネクタ２０の引き抜き作業を促がすことができるから、該電源側コネクタ２０の取外しを優先させてコントローラ１０および放電灯バルブ７への給電を断って、放電灯バルブ７の交換又は保守点検作業を安全に行うことができる。
【００３６】
また、この実施形態の場合もランプユニット側コネクタ１８と電源側コネクタ２０のバルブキャップ１５への配置と、放電灯バルブ脱着口２の口縁にリブ壁２７を突設する単純な構造によって部品点数および大幅な構造変更を伴うことなく回転規制部２３を構成できるためコスト的に有利に得ることができる。
【００３７】
図５はキャップ取外し規制手段２４の異なる実施形態を示すもので、この実施形態では、バルブキャップ１５は前記各実施形態と同様に一方向に回転してクリック係止させることによって、該バルブキャップ１５を放電灯バルブ脱着口２に固定するようにしてあるが、該バルブキャップ１５は単純に放電灯バルブ脱着口２に押し込み係着して固定するタイプのものであってもよい。
【００３８】
ランプハウジング１の内部にはブザー等の警報装置２８を配置してあると共に、放電灯バルブ脱着口２内には、ランプユニット側コネクタ１８と電源側コネクタ２０とが接続されると前記警報装置２８を作動させる可動接点２９ａと固定接点２９ｂとからなる常閉型のスイッチ部２９を配設してある。
【００３９】
一方、バルブキャップ１５の短筒部１６には、該バルブキャップ１５の正規の固定位置で、前記可動接点２９ａを押動してスイッチ部２９を開離作動させる作動子３０を突設してある。
【００４０】
この実施形態の構造によれば、ランプユニット側コネクタ１８と電源側コネクタ２０とが接続状態のままバルブキャップ１５を離脱方向に若干回転すると、作動子３０が可動接点２９ａから外れてスイッチ部２９が閉作動して警報装置２８が作動し、作業者に警告して電源側コネクタ２０の取外しを促がす。
【００４１】
従って、作業者はバルブキャップ１５を固定位置に戻すか、あるいはバルブキャップ１５を若干離脱方向に回転した位置にしたままで電源側コネクタ２０をランプユニット側コネクタ１８から引き抜き、コントローラ１０および放電灯バルブ７への給電を断って、放電灯バルブ７の交換又は保守点検作業を安全に行うことができる。
【００４２】
警報装置２８は前記電源側コネクタ２０の離脱によって警報回路が開成されるため直ちに作動停止する。
【００４３】
また、この実施形態によれば前述のバルブ交換時の安全性確保の他、バルブキャップ１５の不完全装着を警告することができる。
【００４４】
即ち、バルブキャップ１５が正規の固定位置にまで回転されず、その装着が不完全であると、作動子３０による可動接点２９ａと固定接点２９ｂとの開離が行われずスイッチ部２９が閉作動状態にあるため、ランプユニット側コネクタ１８と電源側コネクタ２０とを接続すると警報装置２８が作動して、バルブキャップ１５の装着不完全を警告する。
【００４５】
この結果、バルブキャップ１５の装着不完全によってランプハウジング１内に水侵入するのを未然に防止することができる。
【００４６】
なお、警報装置２８の給電回路を放電灯バルブ７の給電回路と別系統に構成すれば、警報装置２８が故障した場合でも放電灯バルブ７の点灯機能に影響を及ぼすことはない。
【００４７】
また、スイッチ部２９としては前述の他にマイクロスイッチを用いることができる。
【図面の簡単な説明】
【図１】本発明の第１実施形態を示す断面図。
【図２】同実施形態の分解斜視図。
【図３】本発明の第２実施形態を示す断面図。
【図４】同実施形態の斜視図。
【図５】本発明の第３実施形態を示す断面図。
【符号の説明】
１  ランプハウジング
２  放電灯バルブ脱着口
７  放電灯バルブ
１５  バルブキャップ
１８  ランプユニット側ハーネス
２０  電源側コネクタ
２１  フランジ部
２２  切欠部
２３  回転規制部
２４  キャップ取外し規制手段
２７  リブ壁
２８  警報装置
２９  スイッチ部
３０  作動子
【図１】
0003632266.tif 000002
【図２】
0003632266.tif 000003
【図３】
0003632266.tif 000004
【図４】
0003632266.tif 000005
【図５】
0003632266.tif 000006